(57)【要約】【課題】  本発明はルアーに関し、キャスティング時の錘の重心移動の効率化を図って、飛行姿勢の安定化を図ったルアーを提供することを目的とする。【解決手段】  ルアー本体内に錘を移動自在に収容したルアーに於て、上記ルアー本体内に、錘を移動自在に保持する第１移動案内部をルアー本体の前後方向に設け、当該第１移動案内部と異なる錘を移動自在に保持する第２移動案内部を設けて、第１移動案内部の前方に移動した錘と第２移動案内部の錘とを接触可能とすると共に、第１，第２移動案内部に保持される錘を磁力により吸着可能な磁性体で形成し、接触した第１，第２移動案内部の錘が磁力で吸着して、互いの移動が規制されることを特徴とする。【選択図】    図１
2005287360.tif 000002
【特許請求の範囲】
【請求項１】
ルアー本体内に錘を移動自在に収容したルアーに於て、
上記ルアー本体内に、錘を移動自在に保持する第１移動案内部をルアー本体の前後方向に設け、当該第１移動案内部と異なる錘を移動自在に保持する第２移動案内部を設けて、第１移動案内部の前方に移動した錘と第２移動案内部の錘とを接触可能とすると共に、
第１，第２移動案内部に保持される錘を磁力により吸着可能な磁性体で形成し、
接触した第１，第２移動案内部の錘が磁力で吸着して、互いの移動が規制されることを特徴とするルアー。
【請求項２】
第２移動案内部は、ルアー本体の前後方向に設けられていることを特徴とする請求項１に記載のルアー。
【請求項３】
第１移動案内部の前方と第２移動案内部との間に孔が開口する仕切壁が形成され、当該孔を介して第１，第２移動案内部の錘が接触することを特徴とする請求項１または請求項２に記載のルアー。
【請求項４】
孔は、第１移動案内部から第２移動案内部方向へ順次小径とされていることを特徴とする請求項３に記載のルアー。
【請求項５】
第２移動案内部は、移動自在に保持した錘を孔側へ移動させる傾斜部が設けられていることを特徴とする請求項３または請求項４に記載のルアー。
【発明の詳細な説明】
【技術分野】
【０００１】
本発明は、キャスティング時の錘の重心移動の効率化を図ったルアーに関する。
【背景技術】
【０００２】
特許文献１または特許文献２に開示されるように、従来、ルアーフィッシングに用いるルアーは、内部を中空に形成して構造自体に浮力を持たせると共に、内部に重心移動用の錘を前後方向へ移動自在に収容して、キャスティング時に後方へ移動した錘の重量で飛距離を確保し、また、着水後に前方へ移動する錘の重心移動を利用して良好な泳動姿勢を確保しつつ、前方へ移動した錘の保持手段を設けて泳動の安定を図っている。
【０００３】
図５は特許文献１に開示されたルアーを示し、このルアー１は、ルアー本体３内に移動案内部（移動通路）５をルアー１の前後方向に亘って形成し、当該移動案内部５内に鋼球からなる錘７を前後方向へ移動自在に収容すると共に、移動案内部５の前側隔壁９に、慣性によって前方へ移動した錘７を吸着する磁石１１を装着したもので、錘７を磁石１１で保持することによって、ルアー１を動かしたときの泳動が安定する。
【０００４】
また、図６及び図７は特許文献２に開示されたルアーを示し、このルアー１３は、ルアー本体１５内に設けた２つのリブ１７，１９によって、磁石からなる基本錘２１の移動案内部２３と、タングステンからなる移動錘２５と炭素鋼からなる保持錘２７との移動案内部２９を交差するように設けると共に、図７の如くリブ１７の下部の裏面側と移動案内部２９との間に強磁性体からなる基板３１を架設したもので、リブ１７に設けた小孔３３から基板３１に設けた突起３５が嵌合し、当該突起３５が基本錘２１のストッパとして機能するようになっている。
【０００５】
而して、このルアー１３によれば、図７に示すように基本錘２１の磁力が基板３１を介して保持錘２７に作用するため、移動錘２５が保持錘２７と基板３１との間で挟持された状態で保持されて、ルアー１３を動かしたときの泳動が安定する。
【特許文献１】実公平３−１５０２１号公報
【特許文献２】特開２００１−２９９１５４号公報
【発明の開示】
【発明が解決しようとする課題】
【０００６】
しかし乍ら、図５のルアー１にあっては、ルアー１の中央よりやや前方側の位置に重量体たる磁石１１が配置されているため、キャスティング時に錘７が後方へ移動しても、磁石１１分の重量がその装着部位に残り、ルアー１後方への錘７の重心移動の効率が悪かった。
即ち、ルアーの泳動を良好とするため、一般に錘を保持する位置はルアーの中央または中央よりやや前方側（腹針があるときは腹針近傍）となるが、この位置に重量が残ると、キャスティングした際にルアー後方への錘の重心移動の効率が悪く、ルアーの飛行が安定し難くなる。
【０００７】
一方、図６のルアー１３にあっては、基本錘２１の磁性を保持錘２７に伝える基板３１をルアー本体１５内に装着しているため構造が複雑であった。
而も、基板３１がルアー１３の略中央に装着されているため、図５のルアー１と同様、キャスティング時に移動錘２５と保持錘２５が後方へ移動しても基板３１分の重量が装着部位に残って重心移動の効率が悪く、ルアー３１の飛行が安定し難い欠点があった。
【０００８】
本発明は斯かる実情に鑑み案出されたもので、キャスティング時の錘の重心移動の効率化を図って、飛行姿勢の安定化を図ったルアーを提供することを目的とする。
【課題を解決するための手段】
【０００９】
斯かる目的を達成するため、請求項１に係る発明は、ルアー本体内に錘を移動自在に収容したルアーに於て、上記ルアー本体内に、錘を移動自在に保持する第１移動案内部をルアー本体の前後方向に設け、当該第１移動案内部と異なる錘を移動自在に保持する第２移動案内部を設けて、第１移動案内部の前方に移動した錘と第２移動案内部の錘とを接触可能とすると共に、第１，第２移動案内部に保持される錘を磁力により吸着可能な磁性体で形成し、接触した第１，第２移動案内部の錘が磁力で吸着して、互いの移動が規制されることを特徴とする。
【００１０】
そして、請求項２に係る発明は、請求項１に記載のルアーに於て、第２移動案内部は、ルアー本体の前後方向に設けられていることを特徴とし、請求項３に係る発明は、請求項１または請求項２に記載のルアーに於て、第１移動案内部の前方と第２移動案内部との間に孔が開口する仕切壁が形成され、当該孔を介して第１，第２移動案内部の錘が接触することを特徴とする。
【００１１】
更に、請求項４に係る発明は、請求項３に記載のルアーに於て、孔は、第１移動案内部から第２移動案内部方向へ順次小径とされていることを特徴とし、請求項５に係る発明は、請求項３または請求項４に記載のルアーに於て、第２移動案内部は、移動自在に保持した錘を孔側へ移動させる傾斜部が設けられていることを特徴とする。
【発明の効果】
【００１２】
各請求項に係る発明によれば、キャスティングされたルアーが着水し、第１移動案内部の錘が前方へ移動して第２移動案内部の錘と接触すると、錘は磁力で吸着されて互いの移動が規制されるため、第１移動案内部の錘を当該第１移動案内部の前方で保持することができ、泳動が安定する。
また、キャスティングの際には、第１移動案内部と第２移動案内部の錘が、夫々ルアーの後方に移動するため、ルアーの中央部付近に重量が残らず、錘の重心移動の効率が良好となってルアーの飛行姿勢が安定する利点を有する。
【００１３】
また、請求項４に係る発明によれば、孔が第１移動案内部から第２移動案内部方向へ順次小径とされているため、第２移動案内部側の錘が孔にはまって動き難くなることが防止される。
更にまた、請求項５に係る発明によれば、傾斜部によって錘が孔側へ転動するため、第１移動案内部の前方に移動した錘と確実に接触させることができる。
【発明を実施するための最良の形態】
【００１４】
以下、本発明の実施形態を図面に基づいて詳細に説明する。
図１及び図２は請求項１乃至請求項５の第一実施形態に係るルアーを示し、図に於て、４１はＡＢＳ樹脂等の合成樹脂からなる左右一対のルアー外表体４３，４５を接合して形成されたルアー本体で、従来と同様、ルアー本体４１は小魚状に形成されて、その表面に図示しない装飾が施されている。
【００１５】
そして、ルアー外表体４３，４５の口部には、夫々、半割れリップ４７ａ，４７ｂが一体に突設されており、両ルアー外表体４３，４５を溶接等で接合してルアー本体４１の口部にリップ４７が形成されている。
また、構造自体に浮力を持たせるため、ルアー本体４１の内部は仕切壁４９を介して２つの中空部５１，５３が、ルアー本体４１の頭部側と、腹部から尾部側とに亘って区画形成されており、仕切壁４９は、ルアー外表体４３に突設されたリブ（図示せず）と、ルアー外表体４５に同じく突設されたリブ５５とで形成されている。
【００１６】
そして、図２に示すように仕切壁４９で区画された中空部５１，５３間の腹部の内底面に、厚肉な固定錘装着部５７と釣針止着部５９が一体に連設されており、中空部５１側に位置する固定錘装着部５７内にバランス調整用の球状の固定錘６１が装着され、当該固定錘６１は、ルアー６３の前傾姿勢を維持しつつ、後述する移動錘６５と共にルアー６３のバランスを保つように機能する。
【００１７】
一方、中空部５３側に位置する釣針止着部５９には、ルアー本体４１の腹部外周からピン６７が止着され、更に、ルアー本体４１の口部と尾部に設けた厚肉な釣糸止着部６９と釣針止着部７１にピン７３，７５が止着されている。そして、ルアー本体４１の腹部と尾部に止着されたピン６７，７５に、スプリットリング７７を介して釣針７９が取り付けられている。
【００１８】
更に、図１に示すように上記中空部５３内には、釣針止着部７１から釣針止着部５９に亘ってルアー外表体４３に突設したリブ（図示せず）と、ルアー外表体４５に同じく突設したリブ８１からなる仕切壁８３により、ルアー本体４１の尾部から腹部に亘って下方へ傾斜する中空な第１移動案内部（第１移動通路）８５が、ルアー本体４１の内底面に沿って前後方向に形成されると共に、仕切壁８３に区画されてその上側に第２移動案内部（第２移動通路）８７がルアー本体４１の前後方向に設けられている。
【００１９】
また、既述したリブ８１と図示しないルアー外表体４３側のリブで形成された仕切壁８３は、図示するように前側が斜め下方へ屈曲して、当該仕切壁８３と既述した仕切壁４９とで、後述する保持錘８９を位置決めする凹部９１が形成されており、当該凹部９１の底部が既述した釣針止着部５９の上面となっている。そして、キャスティングされたルアー６３の着水後、第２移動案内部８７の前方に移動した保持錘８９は、上記凹部９１内に入り込んで位置決めされるようになっている。
【００２０】
そして、第１移動案内部８５内に、鉄粉が混入されて磁性を持ったタングステン合金からなる球状の移動錘６５が前後方向へ転動することで移動可能に収容され、第２移動案内部８７内に、磁石からなる球状の保持錘８９が前後方向へ転動することで移動可能に収容されている。
ルアー６３をキャスティングした際に十分な飛距離が得られるように移動錘６５は鉄（比重７．８）等を用いることができるが、より大きな飛距離が得られるように比重１２以上の金属（鉛より比重が大きい）で形成することが好ましい。このため、本実施形態では、移動錘６５を鉄を含む（または散在する）比重１２以上１７以下のタングステン合金として磁性を持たせている。尚、タングステンやタングステン合金を磁性体で被覆してもよい。
【００２１】
また、保持錘８９は、例えばネオジウム磁石（ネオジウム，鉄，ボロン等からなり比重７．４）等の磁石を用いる。
更に、図２に示すように上記凹部９１と第１移動案内部８５を仕切る仕切壁８３の前端側には、凹部９１方向へ順次小径となる断面円弧状をなし、第１移動案内部８５から第２移動案内部８７へ通じる孔９３が移動錘６５の外形形状に沿って設けられており、図１に示すように移動錘６５が第１移動案内部８５の前方に移動すると、移動錘６５は当該孔９３に係合するようになっている。
【００２２】
而して、斯様に移動錘６５が孔９３に係合すると、僅かにその外周が凹部９１側へ突出して、当該凹部９１内に位置決めされた保持錘８９と接触するようになっており、斯様に移動錘６５が保持錘８９に接触すると、保持錘８９の磁力で移動錘６５が保持錘８９に吸着されて、図１の如く第１移動案内部８５の前方で、移動錘６５が第２移動案内部８７の前方に移動した保持錘８９によって保持されるようになっている。
【００２３】
また、図２に示すように凹部９１の底部には、当該凹部９１に入り込んだ保持錘８９を積極的に孔９３方向へ転動させる傾斜部９５が設けられている。
そして、キャスティングに当たり、竿先のガイドよりわずかに釣糸を繰り出してルアー６３を垂下したキャスティング体制に入ると、移動錘６５と保持錘８９は磁力に抗して離れ、図１の二点鎖線で示すように移動錘６５と保持錘８９は、第１，第２移動案内部８５，８７の後方（図中、矢印Ａ，Ｂ方向）へ夫々移動するようになっている。そして、着水後、釣糸が引かれリップ４７が作用してルアー６３が前傾すると、移動錘６５が第１移動案内部８５を前方に移動して前記孔９３に係合し、保持錘８９が仕切壁８３に沿って前記凹部９１内まで移動して位置決めされるようになっている。
【００２４】
尚、本実施形態に係るルアー６３は、図１の実線の如く移動錘６５と保持錘８９が前方に移動した状態で、重心が釣針止着部５９近傍に設定されている。
本実施形態に係るルアー６３はこのように構成されているから、当該ルアー６３を用いて釣りを行う際に、ルアー６３を垂下したキャスティング体勢に入ると、図１の二点鎖線で示すように移動錘６５と保持錘８９は、夫々、第１，第２移動案内部８５，８７の後端部まで移動する。
【００２５】
而して、この状態でキャスティングすると、その慣性力で移動錘６５と保持錘８９が第１，第２移動案内部８５，８７の後端部に位置し乍ら、ルアー６３は尾部側を先頭に飛んで行くが、移動錘６５と保持錘８９が第１，第２移動案内部８５，８７の後端部に寄っているため、重心がルアー６３の後方に移動し、而も、図５及び図６の従来例と異なり、釣針止着部５９付近に重量が残らないため、ルアー６３は飛行姿勢が崩れることなく安定して遠くへ飛んで行く。
【００２６】
そして、着水後、ピン７３に連結した釣糸を引くことでリップ４７が作用してルアー６３が前傾し、これと同時に移動錘６５と保持錘８９が第１，第２移動案内部８５，８７に沿ってルアー６３の前方側へ移動する。
而して、斯様に移動錘６５と保持錘８９がルアー６３の前方側へ移動すると、移動錘６５が孔９３に係合してその外周が僅かに凹部９１側へ突出し、また、凹部９１内に入り込んだ保持錘８９は傾斜部９５によって孔９３方向へ転動するため、移動錘６５と保持錘８９が接触し、移動錘６５が保持錘８９に磁力で吸着されて第１移動案内部８５の前方で保持され、移動錘６５と保持錘８９の移動が規制される。
【００２７】
この後、リップ４７やルアー６３の外表面の水の抵抗，固定錘６１と移動錘６５等の作用でルアー６３は口部側を下に向け乍ら、安定して泳動することとなる。
このように本実施形態は、磁石を用いて移動錘６５を第１移動案内部８５の前方で保持するに当たり、磁石を保持錘８９としてキャスティングの際にこれをルアー６３（第２移動案内部８７）の後方に移動させる構成としたので、図５及び図６の従来例と異なり、キャスティング時に釣針止着部５９付近に重量が残らず、この結果、斯かる従来例に比し移動錘６５と保持錘８９の重心移動の効率が良好となって、ルアー６３の飛行姿勢が安定することとなった。
【００２８】
而も、凹部９１に開口する孔９３は第１移動案内部８５側に比し小径とされているため、保持錘８９が孔９３にはまって動き難くなることがないし、傾斜部９５によって保持錘８９が孔９３側へ転動するため、保持錘８９と移動錘６５を確実に接触させることが可能である。
図３は請求項１乃至請求項５に係るルアーの第二実施形態を示し、本実施形態は、前記第２移動案内部８７に代え、ルアー本体の頭部側に、当該第２移動案内部８７より移動距離の短い移動案内部を大きな傾斜角で形成したものである。
【００２９】
以下、本実施形態を図面に基づいて説明するが、上記第一実施形態と同一のものには同一符号を付してそれらの説明は省略する。
図中、９７はルアー本体４１-1内に仕切壁４９と平行に設けられた仕切壁で、両仕切壁４９，９７によって、ルアー本体４１-1の頭部側に第１移動案内部８５より移動距離の短い第２移動案内部９９が、第１移動案内部８５より大きな傾斜角でルアー本体４１-1の前後方向に形成されている。
【００３０】
而して、上記仕切壁９７は、ルアー本体４１-1を形成する左右一対のルアー外表体４３-1，４５-1に突設したリブ１０１によって形成されており、ルアー外表体４３-1側に突設した図示しないリブと、ルアー外表体４５-1側に突設したリブ１０１は、いずれも孔９３が開口する仕切壁８３部分を構成するリブ８１と面一に形成されて、ルアー本体４１-1の背面部内面に亘って突設されている。
【００３１】
そして、第２移動案内部９９内に保持錘８９が移動自在に収容されている。
尚、本実施形態では、第一実施形態の固定錘６１は装着しない構造となっている。
本実施形態に係るルアー６３-1はこのように構成されているから、既述したルアー６３と同様、ルアー６３-1を垂下したキャスティング体勢に入ると、図３の二点鎖線で示すように移動錘６５と保持錘８９は、夫々、第１，第２移動案内部８５，９９の後端部まで移動する。
【００３２】
而して、この状態でキャスティングすると、その慣性力で移動錘６５と保持錘８９が第１，第２移動案内部８５，９９の後端部に位置し乍ら、ルアー６３-1は尾部側を先頭に飛んで行くが、移動錘６５と保持錘８９が第１，第２移動案内部８５，９９の後端部に寄って重心がルアー６３-1の後方に移動しており、而も、本実施形態に於ても、釣針止着部５９付近に重量が残らないため、ルアー６３-1は飛行姿勢が崩れることなく安定して遠くへ飛んで行く。
【００３３】
そして、着水後、ピン７３に連結した釣糸を引くことでリップ４７が作用してルアー６３-1が前傾し、これと同時に移動錘６５と保持錘８９が第１，第２移動案内部８５，９９に沿ってルアー６３-1の前方側へ移動するが、第２移動案内部９９は第１移動案内部８５に比し急傾斜且つ短寸に設定されているため、保持錘８９が速やかに図３の実線で示す位置に移動して、ルアー６３-1は速やかに泳動状態に復帰する。
【００３４】
而して、斯様に移動錘６５と保持錘８９がルアー６３-1の前方側へ移動すると、移動錘６５が孔９３に係合してその外周が僅かに凹部９１側へ突出し、また、第２移動案内部９９の前方に移動した保持錘８９は傾斜部９５によって孔９３方向へ転動するため、移動錘６５と保持錘８９が接触し、移動錘６５が保持錘８９に磁力で吸着されて第１移動案内部８５の前方で保持される。
【００３５】
この後、リップ４７やルアー６３-1の外表面の水の抵抗等の作用でルアー６３-1は口部側を下に向け乍ら、安定して泳動することとなる。
このように本実施形態に係るルアー４５-1も、磁石を用いて移動錘６５を第１移動案内部８５の前方で保持するに当たり、磁石を保持錘８９としてキャスティングの際にこれをルアー６３-1（第２移動案内部９９）の後方に移動させる構成としたので、図１の第一実施形態と同様、所期の目的を達成することが可能である。
【００３６】
また、本実施形態は、図１の実施形態に比し第２移動案内部９９を急傾斜且つ短寸に形成したため、ルアー６３-1の後方へ移動した保持錘８９が速やかに図３の実線で示す位置に復帰して、ルアー６３-1が速やかに泳動状態に復帰する利点を有する。
図４は請求項１及び請求項２の一実施形態に係るルアーを示し、以下、本実施形態を図面に基づいて説明するが、図１の実施形態と同一のものには同一符号を付してそれらの説明は省略する。
【００３７】
図中、１０１はＡＢＳ樹脂等の合成樹脂からなる左右一対のルアー外表体１０３，１０５を接合して形成されたルアー本体で、ルアー本体１０１は小魚状に形成されて、その表面に図示しない装飾が施されている。
そして、ルアー外表体１０３，１０５の口部には、夫々、半割れリップ１０７ａ，１０７ｂが一体に突設されており、両ルアー外表体１０３，１０５を接着剤等で接合してルアー本体１０１の口部にリップ１０７が形成されている。
【００３８】
また、構造自体に浮力を持たせるため、図２に示すようにルアー本体１０１はその内部に中空部１０９が形成されているが、その腹部に厚肉な固定錘装着部１１１と釣針止着部１１３が内方へ突設されており、固定錘装着部１１１内に固定錘６１が装着されている。
一方、釣針止着部１１３には、ルアー本体１０１の腹部外周からピン６７が止着され、更に、ルアー本体１０１の口部と尾部に設けた厚肉な釣糸止着部１１５と釣針止着部１１７にピン７３，７５が止着されている。そして、ルアー本体４１の腹部と尾部に止着されたピン６７，７５に、スプリットリング７７を介して釣針７９が取り付けられている。
【００３９】
そして、上記中空部１０９内に、ステンレス等の非磁性体からなる１本の線材１１９が、移動錘６５-1と保持錘８９-1の移動案内部として架け渡されている。
図示するように線材１１９は側面視略Ｖ字状に形成されており、その一端は、釣針止着部１１３より後方のルアー本体１０１の背面側内面に突設した支持突起１２１に埋設され、他端側は、尾部側の釣針止着部１１７に埋設されている。
【００４０】
そして、線材１１９の屈曲部が釣針止着部１１３に埋設されて、上記釣針止着部１１７と当該釣針止着部１１３間の緩やかにルアー本体１０１の前方へ下るように傾斜した線材１１９が、移動錘６５-1を保持する第１移動案内部１２３とされ、前記支持突起１２１と釣針止着部１１３間の第１移動案内部１２３より短く、これより急傾斜した線材１１９が、保持錘８９-1を保持する第２移動案内部１２５とされている。そして、第１移動案内部１２３の線材１１９に、既述した移動錘６５と同一材料で形成された球状の移動錘６５-1が遊嵌保持され、移動錘６５-1は線材１１９に沿ってルアー本体１０１の前後方向へ移動自在となっている。
【００４１】
同様に、第２移動案内部１２５の線材１１９に、既述した保持錘８９と同一材料で形成された球状の保持錘８９-1が遊嵌保持されて、保持錘８９-1が線材１１９に沿ってルアー本体１０１の前後方向へ移動自在となっている。
そして、キャスティングに当たり、ルアー１２７を垂下したキャスティング体制に入ると、移動錘６５-1と保持錘８９-1は、夫々、図４の二点鎖線で示すように線材１１９に沿って第１，第２移動案内部１２３，１２５の後方へ移動する。そして、着水後、釣糸が引かれリップ１０７が作用してルアー１２７が前傾すると、線材１１９に沿って移動錘６５-1と保持錘８９-1が、夫々、第１移動案内部１２３と第２移動案内部１２５の前方に移動して、図４の実線で示すように互いに接触（衝突）するようになっている。
【００４２】
而して、保持錘８９-1は磁石で形成されているから、斯様に移動錘６５-1と保持錘８９-1が前方に移動して接触すると、保持錘８９-1の磁力で移動錘６５-1が保持錘８９-1に吸着されて、図示するように第１移動案内部１２３の前方で移動錘６５-1が保持錘８９-1によって保持されるようになっている。そして、キャスティング体制に入ると、移動錘６５-1と保持錘８９-1は磁力に抗して離れて、既述したように第１，第２移動案内部１２３，１２５の後方へ夫々移動するように構成されている。
【００４３】
本実施形態はこのように構成されているから、ルアー１２７を垂下したキャスティング体勢に入ると、図４の二点鎖線で示すように移動錘６５-1と保持錘８９-1は、線材１１９に沿って第１，第２移動案内部１２３，１２５の後端部まで移動する。
而して、この状態でキャスティングすると、その慣性力で移動錘６５-1と保持錘８９-1が第１，第２移動案内部１２３，１２５の後端部に位置し乍ら、ルアー１２７は尾部側を先頭に飛んで行くが、移動錘６５-1と保持錘８９-1が第１，第２移動案内部１２３，１２５の後端部に寄っているため、重心がルアー１２７の後方に移動しており釣針止着部１１３付近に重量が残らないため、ルアー１２７は飛行姿勢が崩れることなく安定して遠くへ飛んで行く。
【００４４】
そして、着水後、ピン７３に連結した釣糸を引くことでリップ１０７が作用してルアー１２７が前傾し、これと同時に移動錘６５-1と保持錘８９-1が線材１１９に沿ってルアー１２７の前方側へ移動して接触するため、保持錘８９-1の磁力で移動錘６５-1が保持錘８９-1に吸着されて、第１移動案内部１２３の前方で移動錘６５-1が保持錘８９-1によって保持されることとなる。
【００４５】
このように本実施形態も、磁石を用いて移動錘６５-1を第１移動案内部１２３の前方で保持するに当たり、磁石を保持錘８９-1としてキャスティングの際にこれを第２移動案内部１２５の後方へ移動させる構成としたので、図１の第一実施形態と同様、所期の目的を達成することが可能である。
また、本実施形態も、図１の実施形態に比し第２移動案内部１２５を急傾斜且つ短寸に形成したため、後方へ移動した保持錘８９-1が速やかに図４の実線で示す位置に復帰して、ルアー１２３が速やかに泳動状態に復帰する利点を有する。
【図面の簡単な説明】
【００４６】
【図１】請求項１乃至請求項５の第一実施形態に係るルアーの要部断面図である。
【図２】図１に示すルアーの要部拡大断面図である。
【図３】請求項１乃至請求項５の第二実施形態に係るルアーの要部断面図である。
【図４】請求項１及び請求項２の一実施形態に係るルアーの要部断面図である。
【図５】従来のルアーの断面図である。
【図６】従来の他のルアーの要部断面図である。
【図７】図６に示すルアーの要部拡大断面図である。
【符号の説明】
【００４７】
４１，４１-1，１０１  ルアー本体
４３，４３-1，４５，４５-1，１０３，１０５  ルアー外表体
４７，１０７  リップ
４９，８３，９７  仕切壁
５１，５３，１０９  中空部
５７，１１１  固定錘装着部
５９，１１３  釣針止着部
６１  固定錘
６３，６３-1，１２７  ルアー
６５，６５-1  移動錘
７９  釣針
８５，１２３  第１移動案内部
８７，９９，１２５  第２移動案内部
８９，８９-1  保持錘
９１  凹部
９３  孔
９５  傾斜部
１１９  線材
１２１  支持突起
【図１】
2005287360.tif 000003
【図２】
2005287360.tif 000004
【図３】
2005287360.tif 000005
【図４】
2005287360.tif 000006
【図５】
2005287360.tif 000007
【図６】
2005287360.tif 000008
【図７】
2005287360.tif 000009